(57)【特許請求の範囲】
【請求項１】
筒状容器本体９と、この容器本体９のキャップ４とを備え、上記キャップ４の内周面を周方向に、偶数の角部を有する正多角形に形成し、この正多角形の少なくとも相対峙する２つの角部にそれぞれ位置決め用の突部１３を、上記キャップ４の下端面から天井面にわたって設け、上記容器本体９に、上記キャップ４に内嵌するキャップ固定部１１を設け、このキャップ固定部１１の外周面を、上記キャップ４の内周面に摺動自在に係合する正多角形に形成し、この正多角形の上記各突部１３に対応する部分を面取りし、キャップ４にキャップ固定部１１を内嵌する際に、上記各面取り部分１２で上記各突部１３を上下方向にガイドして適正位置に位置決めするように構成したことを特徴とする化粧料容器。
【発明の詳細な説明】
【０００１】
【発明の属する技術分野】
本発明は、キャップを位置決めして冠着することのできる化粧料容器に関するものである。
【０００２】
【従来の技術】
一般に、口紅等の棒状化粧料の容器としては、図１２に示すようなものが使用されている。すなわち、この容器は、両側にガイド突起１ａが突設された繰出筒１と、両側に相対峙して縦穴２ａが穿設された内筒２と、内周面に２本のらせん溝３ａが刻設された外筒３と、この外筒３に冠着されるキャップ４とを備えている。図において、５は繰出筒１に固着された棒状化粧料であり、６は内筒２の下部に設けた回動操作部である。このような容器の組み立て作業では、内筒２の上側に繰出筒１を配置して上記内筒２の縦穴２ａに繰出筒１のガイド突起１ａを位置合わせし、ついで、繰出筒１を下降させ、内筒２の縦穴２ａに繰出筒１のガイド突起１ａを係合させた状態で内筒２内に繰出筒１を収容する。つぎに、この内筒２の上側に外筒３を配置して内筒２の縦穴２ａから突出するガイド突起１ａに外筒３のらせん溝３ａの下端を位置合わせし、そののち、外筒３を下降させ、ガイド突起１ａに外筒３のらせん溝３ａを係合させた状態で内筒２に外筒３を外嵌することを行う。
【０００３】
このようにして組み立てられた棒状化粧料容器は、外筒３が内筒２に対して相対回転自在であり、外筒３を内筒２に対して相対回転させることにより、その回転に伴い外筒３のらせん溝３ａと内筒２の縦穴２ａとの交点が上下に移動する。そして、縦穴２ａとらせん溝３ａに係合しているガイド突起１ａが必然的に上記交点に位置決めされることになり、上記交点の上下移動に追従して繰出筒１が昇降する。また、上記ガイド突起１ａの上昇位置および下降位置は、上記縦穴２ａに設けられた上下の横穴２ｂに位置決めされる。
【０００４】
このような棒状化粧料容器では、外観を良くするため、キャップ４や回動操作部６の外周面に一連の模様（図１２では、鮮やかな色彩の直線状模様）７を施す場合がある。この場合には、通常、キャップ４の下端面に位置決め用の凸部４ａを突設し、回動操作部６の上端面に、上記凸部４ａに着脱自在に係合する凹部６ａを設け、上記凸部４ａを凹部６ａに係合させた状態でキャップ４を冠着することにより、キャップ４の模様７と回動操作部６の模様７を一致させることが行われている。
【０００５】
【発明が解決しようとする課題】
しかしながら、この棒状化粧料容器では、キャップ４を冠着する時に、このキャップ４をガイドするものがなく、冠着作業がしづらい。しかも、この棒状化粧料容器が周囲の他物と接触したり、衝突したりすると、上記係合部分が外部に露出しているため、損傷しやすい。
【０００６】
本発明は、このような事情に鑑みなされたもので、キャップを適正位置に位置決めすることができ、しかも、冠着作業が容易で、長期間損傷することのない化粧料容器の提供をその目的とする。
【０００７】
【課題を解決するための手段】
上記の目的を達成するため、本発明の化粧料容器は、筒状容器本体と、この容器本体のキャップとを備え、上記キャップの内周面を周方向に、偶数の角部を有する正多角形に形成し、この正多角形の少なくとも相対峙する２つの角部にそれぞれ位置決め用の突部を、上記キャップの下端面から天井面にわたって設け、上記容器本体に、上記キャップに内嵌するキャップ固定部を設け、このキャップ固定部の外周面を、上記キャップの内周面に摺動自在に係合する正多角形に形成し、この正多角形の上記各突部に対応する部分を面取りし、キャップにキャップ固定部を内嵌する際に、上記各面取り部分で上記各突部を上下方向にガイドして適正位置に位置決めするように構成したという構成をとる。
【０００８】
すなわち、本発明の化粧料容器は、筒状容器本体と、この容器本体のキャップとを備えている。そして、上記キャップの内周面を周方向に、偶数の角部を有する正多角形に形成し、この正多角形の少なくとも相対峙する２つの角部に位置決め用の突部を設けている。また、上記容器本体に、上記キャップに内嵌するキャップ固定部を設け、このキャップ固定部の外周面を、上記キャップの内周面に摺動自在に係合する正多角形に形成し、この正多角形の上記各突部に対応する部分を面取りしている。このものでは、キャップにキャップ固定部を内嵌する際に、上記各面取り部分で上記各突部を上下方向にガイドして適正位置に位置決めすることができ、内嵌作業が容易になる。しかも、キャップ冠着時に、このキャップに対し、これを周方向に回そうとする外力が作用しても、この外力をキャップの内周面と、これに係合するキャップ固定部の外周面とで受け止めているため、キャップの各突部とキャップ固定部の各面取り部分には外力が殆ど作用しておらず、長期間にわたってキャップの各突部やキャップ固定部の各面取り部分が破損することがない。
【０００９】
さらに、キャップ冠着時に、このキャップやキャップ固定部が他物と接触したり、衝突したりしても、キャップの各突部およびキャップ固定部の各面取り部分がキャップの内部に隠れており、殆ど損傷しない。
【００１０】
【発明の実施の形態】
つぎに、本発明の実施の形態を図面にもとづいて詳しく説明する。
【００１１】
図１は本発明の化粧料容器の一実施の形態である棒状化粧料容器（例えば、口紅容器）を示している。この実施の形態では、繰出筒１，外筒３，内筒２，棒状化粧料５（図１２参照）からなる筒状容器本体９の上記内筒２の下端部に形成された回動操作部６の外周面が、図２および図３に示すように、正六角形に形成されており、この回動操作部６の上面から、外筒３よりやや大きく、かつ回動操作部６よりやや小さい段部１１が突設されている。
【００１２】
この段部１１は、その外周面が正六角形に形成されているとともに、その６つの角部のうち、相対峙する２つの角部にアール（丸みのある面取り）が形成されている。一方、キャップ４は、図４〜図６に示すように、上記回動操作部６の上面に載置しうる正六角形の角筒体に形成されており、その内周面が、上記段部１１の外周面に上下方向に摺動自在に係合する正六角形に形成されている。
【００１３】
そして、上記キャップ４の内周面の６つの角部のうち、相対峙する２つの角部に、上記段部１１の両アール部分１２に沿って上下方向にガイドされる位置決め用の突条（突部）１３が、キャップ４の下端面から天井面にかけて突設されている。
【００１４】
図１において、１１ａは段部１１の６つの側面に突出形成された突部である。また、図５において、４ａはキャップ４の下端部内周面に突出形成された突部であり、キャップ４冠着時にキャップ４の突部４ａと段部１１の突部１１ａが抜け止め状に係合する。それ以外の部分は、図１２に示す棒状化粧料容器と同様であり、同様の作用をする。
【００１５】
上記構成において、キャップ４を回動操作部６の段部１１に冠着する際には、この段部１１の両アール部分１２にキャップ４の両突条１３を位置決めし、その状態でキャップ４を段部１１に外嵌状に押し込むことを行う（図７参照）。これにより、上記両アール部分１２で両突条１３をガイドすることができ、キャップ４を所望位置に位置決めした状態で冠着することができる。
【００１６】
また、キャップ４の突部４ａが段部１１の各側面を摺動しながら突部１１ａを乗り越えたのち突部１１ａの下側でこの突部１１ａと係合し、これにより、キャップ４が上方に抜け出すのを防止している。
【００１７】
このように上記実施の形態では、キャップ４を所望位置に位置決めして冠着することができる。このとき、キャップ４の両突条１３を回動操作部６の段部１１の両アール部分１２でガイドすることができ、冠着作業が容易になる。しかも、上記段部１１の外周面とキャップ４の内周面とが略当接状に係合しているため、キャップ４の冠着時に、このキャップ４に対し、これを周方向に回そうとする外力が作用しても、その大部分をキャップ４の内周面と段部１１の外周面とで受け止めることができ、耐久性が向上する。
【００１８】
また、上記段部１１の両アール部分１２はキャップ４の両突条１３をガイドするだけであり、両突条１３に係合していないため、上記外力が作用しても、この外力が上記両アール部分１２，両突条１３に殆ど作用することがなく、これらが破損することもない。さらに、キャップ４の冠着時に、キャップ４の両突条１３および段部１１の両アール部分１２がキャップ４の内部に隠れているため、この状態で棒状化粧料容器が他物に接触したり、衝突したりしても、上記両アール部分１２，両突条１３が損傷することがない。そのうえ、キャップ４の両突条１３がキャップ４の下端面から天井面にかけて突設されているため、この突条１３が補強部材（補強リブ）として作用し、強度が向上する。
【００１９】
図８は本発明の第１の化粧料容器の他の実施の形態である棒状化粧料容器（例えば、口紅容器）を示している。この棒状化粧料容器では、内筒２の下端部に形成された回動操作部６の外周面、および、この回動操作部６の上面から突設される段部１１の外周面が正方形に形成されている。一方、キャップ４は、図９に示すように、上記回動操作部６の上面に載置しうる正方形の角筒体に形成されており、その内周面が、上記段部１１の外周面に上下方向に摺動自在に係合する正方形に形成されている。図８および図９では、キャップ４の突部４ａおよび段部１１の突部１１ａを省略している。
【００２０】
なお、後述する各実施の形態においても、同様に、突部４ａ，１１ａを省略している。それ以外の部分は上記実施の形態と同様であり、同様の部分には同じ符号を付している。この実施の形態でも、上記実施の形態と同様の作用・効果を奏する。
【００２１】
図１０は本発明の第１の化粧料容器のさらに他の実施の形態であるシャンプー容器を示している。このシャンプー容器は、有底筒状の容器本体１４と、この容器本体１４の首部１５を蓋するキャップ４とを備えている。そして、上記容器本体１４の首部１５の外周面が正方形に形成されており、その４つの角部のうち、相対峙する２つの角部にアールが形成されている。
【００２２】
一方、キャップ４は、図１１に示すように、容器本体１４の肩部１６に載置しうる正方形の角筒体に形成されており、その内周面が、上記首部１５の外周面に上下方向に摺動自在に係合する正方形に形成されている。そして、上記キャップ４の内周面の４つの角部のうち、相対峙する２つの角部に、上記首部１５の両アール部分１７に沿って上下方向にガイドされる突条１８が、キャップ４の下端面から天井面にかけて突設されている。
【００２３】
上記構成において、キャップ４を容器本体１４の首部１５に冠着する際には、その首部１５の両アール部分１７にキャップ４の両突条１８を位置決めし、その状態でキャップ４を首部１５に外嵌状に押し込むことを行う。これにより、上記両アール部分１７で両突条１８をガイドすることができ、キャップ４を所望位置に位置決めした状態で冠着することができる。この実施の形態でも、上記両実施の形態と同様の作用・効果を奏する。
【００２４】
なお、図１，図８および図１０に示す実施の形態では、棒状化粧料容器の段部１１の外周面、シャンプー容器の首部１５の外周面、およびこれに対応するキャップ４の内周面を正六角形もしくは正方形に形成しているが、これに限定するものではなく、偶数の角部を有する正多角形であれば、正六角形より角数の多い正多角形でもよい。また、図１，図８および図１０に示す実施の形態では、キャップ４の内周面に突設する突条１３，１８の個数は２個が好適である。ただし、キャップ４の内周面に形成される多角形が正多角形であるため、この正多角形の全角部に突条１３，１８を設けることができない。すなわち、この場合には、これらの突条１３，１８が位置決め用として機能しなくなるからである。
【００２５】
また、図１，図８および図１０に示す実施の形態では、両突条１３，１８の内周面がアール部分１２，１７に当接していないが、当接していてもよい。また、上記各実施の形態では、本発明の化粧料容器として、棒状化粧料容器（口紅容器）もしくはシャンプー容器を用いているが、各種の化粧料容器が用いられる。また、上記各実施の形態では、キャップ４と段部１１との抜け止め防止用の係合を突部４ａ，１１ａで行うようにしているが、凸部と凹部との組み合わせにより行ってもよい。
【００２６】
【発明の効果】
以上のように、本発明の化粧料容器によれば、キャップにキャップ固定部を内嵌する際に、キャップ固定部に設けた各面取り部分でキャップに設けた各突部を上下方向にガイドして適正位置に位置決めすることができ、内嵌作業が容易になる。しかも、キャップ冠着時に、このキャップに対し、これを周方向に回そうとする外力が作用しても、この外力をキャップの内周面と、これに係合するキャップ固定部の外周面とで受け止めているため、キャップの各突部とキャップ固定部の各面取り部分には外力が殆ど作用しておらず、長期間にわたってキャップの各突部やキャップ固定部の各面取り部分が破損することがない。
【００２７】
さらに、キャップ冠着時に、このキャップやキャップ固定部が他物と接触したり、衝突したりしても、キャップの各突部およびキャップ固定部の各面取り部分がキャップの内部に隠れており、殆ど損傷しない。
【図面の簡単な説明】
【図１】  本発明の化粧料容器の一実施の形態を示す分解斜視図である。
【図２】  容器本体の正面図である。
【図３】  上記容器本体の平面図である。
【図４】  キャップの正面図である。
【図５】  上記キャップの底面図である。
【図６】  上記キャップの断面図である。
【図７】  回動操作部にキャップを冠着した状態を示す拡大説明図である。
【図８】  本発明の化粧料容器の他の実施の形態を示す分解斜視図である。
【図９】  回動操作部にキャップを冠着した状態を示す拡大説明図である。
【図１０】  本発明の化粧料容器のさらに他の実施の形態を示す分解斜視図である。
【図１１】  回動操作部にキャップを冠着した状態を示す説明図である。
【図１２】  従来例の分解斜視図である。
【符号の説明】
４  キャップ
６  回動操作部
１１  段部
１２  アール部分
１３  突条
【図１】
0003953594.tif 000002
【図２】
0003953594.tif 000003
【図３】
0003953594.tif 000004
【図４】
0003953594.tif 000005
【図５】
0003953594.tif 000006
【図６】
0003953594.tif 000007
【図７】
0003953594.tif 000008
【図８】
0003953594.tif 000009
【図９】
0003953594.tif 000010
【図１０】
0003953594.tif 000011
【図１１】
0003953594.tif 000012
【図１２】
0003953594.tif 000013